(57)【特許請求の範囲】
【請求項１】
洗い場排水の受入口を上部に有すると共に、浴槽排水導入流路からの浴槽排水を略接線方向に受け入れて旋回させる受入室と、
該受入室から水が流れ込む排出流路と
を備えた浴室排水装置において、
該受入室を迂回して該浴槽排水導入流路と該排出流路とを連通するバイパス流路が設けられ、
該バイパス流路に、該バイパス流路を流れる水量が所定値よりも少なくなると、バイパス流路から該排出流路へ流出する水量を減少させるか又は流出を停止させるバイパス水量制御手段が設けられていることを特徴とする浴室排水装置。
【請求項２】
請求項１において、前記バイパス水量制御手段は、前記バイパス流路の底面のうち最も高位となる最高位部を、前記排出流路の底面のうち最も高位となる部分よりも高位とすることにより構成されていることを特徴とする浴室排水装置。
【請求項３】
請求項２において、該バイパス流路の底面は、該最高位部よりも上流側が該最高位部よりも低位となっていることを特徴とする浴室排水装置。
【請求項４】
請求項１ないし３のいずれか１項において、前記受入室に上方からヘアキャッチャーが差し込まれていることを特徴とする浴室排水装置。
【請求項５】
請求項１ないし４のいずれか１項において、前記浴槽排水導入流路の上流端に、浴槽パンに連結される排水ソケットが設けられており、
この排水ソケットに、浴槽パン上の排水を流出させるための開口が設けられており、
該開口が前記排出流路に浴槽パン用排水管によって連通していることを特徴とする浴室排水装置。
【請求項６】
請求項５において、前記受入室と、前記バイパス流路の一部と、前記排水ソケットと、前記浴槽パン用排水管とが一体とされていることを特徴とする浴室排水装置。
【発明の詳細な説明】
【技術分野】
【０００１】
本発明は、浴槽排水及び洗い場排水を受入室に流入させて排出する浴室排水装置に係り、特に受入室に浴槽排水を略接線方向に受け入れて旋回流を形成させるよう構成された浴室排水装置に関する。
【背景技術】
【０００２】
洗い場排水を受け入れる洗い場排水受入口が上部に設けられていると共に、浴槽排水を側周面から受け入れてトラップ内に旋回流を形成させるようにした排水トラップが特許第３８８６０５５号に記載されている。このトラップの洗い場排水受入口には、上方が開放したカゴ（篭）状のヘアキャッチャーが着脱自在に装着されている。このヘアキャッチャーは、トラップ内の軸心部付近に垂下している。浴槽排水がトラップ内に流入し、トラップ内の水位が上昇して旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【特許文献１】特許第３８８６０５５号
【発明の開示】
【発明が解決しようとする課題】
【０００３】
上記旋回流形成方式の排水トラップを備えた浴室排水装置において、浴槽の水位が高い場合に浴槽の排水栓を開けると、浴槽から急激に大量の浴槽排水がこの排水トラップに流入し、洗い場へ溢れ出るおそれがある。旋回流形成方式の排水トラップの場合、旋回流（渦）には遠心力があり、水位が旋回室の壁沿いに上昇しやすく、通常の排水トラップよりも水が洗い場に溢れやすい。
【０００４】
本発明は、旋回流形成方式の排水トラップから水が洗い場に溢れ出ることが確実に防止される浴室排水装置を提供することを目的とする。
【課題を解決するための手段】
【０００５】
請求項１の浴室排水装置は、洗い場排水の受入口を上部に有すると共に、浴槽排水導入流路からの浴槽排水を略接線方向に受け入れて旋回させる受入室と、該受入室から水が流れ込む排出流路とを備えた浴室排水装置において、該受入室を迂回して該浴槽排水導入流路と該排出流路とを連通するバイパス流路が設けられ、該バイパス流路に、該バイパス流路を流れる水量が所定値よりも少なくなると、バイパス流路から該排出流路へ流出する水量を減少させるか又は流出を停止させるバイパス水量制御手段が設けられていることを特徴とするものである。
【０００６】
請求項２の浴室排水装置は、請求項１において、前記バイパス水量制御手段は、前記バイパス流路の底面のうち最も高位となる最高位部を、前記排出流路の底面のうち最も高位となる部分よりも高位とすることにより構成されていることを特徴とするものである。
【０００７】
請求項３の浴室排水装置は、請求項２において、該バイパス流路の底面は、該最高位部よりも上流側が該最高位部よりも低位となっていることを特徴とするものである。
【０００８】
請求項４の浴室排水装置は、請求項１ないし３のいずれか１項において、前記受入室に上方からヘアキャッチャーが差し込まれていることを特徴とするものである。
【０００９】
請求項５の浴室排水装置は、請求項１ないし４のいずれか１項において、前記浴槽排水導入流路の上流端に、浴槽パンに連結される排水ソケットが設けられており、この排水ソケットに、浴槽パン上の排水を流出させるための開口が設けられており、該開口が前記排出流路に浴槽パン用排水管によって連通していることを特徴とするものである。
【００１０】
請求項６の浴室排水装置は、請求項５において、前記受入室と、前記バイパス流路の一部と、前記排水ソケットと、前記浴槽パン用排水管とが一体とされていることを特徴とするものである。
【発明の効果】
【００１１】
本発明（請求項１）の浴室排水装置は、洗い場排水と浴槽排水とを受け入れるように設けられた受入室に対し、浴槽排水を略接線方向に流入させて旋回流を形成させる浴室排水装置において、この受入室を迂回するバイパス流路を設け、浴槽排水の一部を該受入室を迂回させて排水させることができるようにしたものである。
【００１２】
このバイパス流路を設けたことにより、受入室に浴槽排水が過剰に流入して洗い場へ溢れ出る事態が確実に防止される。また、浴槽からの排水流量を増大させ、浴槽からの排水所要時間を短縮することもできる。
【００１３】
なお、浴槽からの排水量は、浴槽内の水位が高いほど多く、浴槽内の水位が低下するほど減少する。本発明の浴室排水装置によると、浴槽水位が高いときなど浴槽排水量が多いときにはバイパス水量を多くして排水トラップからの溢れ出しを確実に防止することができる。また、浴槽水位低下などにより浴槽排水量が減少した場合には、バイパス水量を減少させるかゼロとし、十分な量の浴槽排水を受入室に導入して強力な旋回流を形成することができる。
【００１４】
このバイパス水量制御手段としては、請求項２，３の構成が簡便で好適である。
【００１５】
請求項５のように構成することにより、浴槽パンの排水を浴槽パン用排水管によって排出することができる。
【００１６】
請求項６のように受入室、バイパス流路、排水ソケット及び浴槽パン用排水管を一体化させると、これらの設置作業が容易なものとなる。
【発明を実施するための最良の形態】
【００１７】
以下、本発明の実施の形態を図面に基づいて説明する。
【００１８】
第１図は実施の形態に係る浴室排水装置を備えた浴室の斜視図、第２図はこの浴室排水装置の模式図、第３図は浴室排水装置の斜視図、第４図は配管を取り外した浴室排水装置の斜視図、第５図は浴室排水装置の別方向からの斜視図、第６図は第５図のVI−VI線に沿う断面図、第７図は第５図のVII−VII線に沿う縦断面図、第８図は排水トラップの斜視図、第９図は第８図のIX−IX線断面斜視図、第１０図は排水トラップの縦断面図、第１１図は第８図のXI−XI線断面斜視図である。
【００１９】
第１，２図の通り、浴槽パン１の上に浴槽３が設置されている。浴槽パン１に排水ソケット４が取り付けられている。洗い場パン２の浴槽３側に排水枡６が一体形成されている。この排水枡６に対し下側から排水トラップ１０が連結されている。
【００２０】
排水トラップ１０の側面の流入口１１と、排水ソケット４の浴槽排水流入口４ａ（第２〜５図）とが配管５を介して接続されている。浴槽３の排水口（図示略）は、この排水ソケット４の浴槽排水流入口４ａに差込管（図示略）を介して接続されている。この差込管は、上下方向に延在しており、上端は浴槽３の排水口３ａ（第２図）に水密的に取り付けられ、下部が浴槽排水流入口４ａに差し込まれている。この差込管により、浴槽３の排水は直接的に排水ソケット４の該浴槽排水流入口４ａに注ぎ込まれるようにして流出する。
【００２１】
排水ソケット４に、結合フランジ４ｆ（第３〜５，７図）が上方から螺着されている。排水ソケット４のフランジ部４ｂと該結合フランジ４ｆとによって浴槽パン１の排水ソケット装着用開口の縁部が挟持され、これにより排水ソケット４が浴槽パン１に固定される。
【００２２】
排水トラップ１０の上面部には、洗い場２側からの排水が排水枡６を通り流入する洗い場排水受入口Ａ（第３，１０図）が設けられている。排水トラップ１０の排水口６０には排水管７がビスにより着脱可能に接続されている。
【００２３】
排水枡６は洗い場パン２と一体状に凹み状に形成されている。その上面には排水目皿８（第１図）が覆設されている。
【００２４】
第３〜５，７，８，１０図に明示の通り、排水枡６の底側にはフランジ部材１２がパッキン（図示略）を介して取り付けられ、このフランジ部材１２にネジ込み方式により、排水トラップ１０の上端が取り付けられている。なお、排水トラップ１０の上端に設けられたフランジ２１ｆとフランジ部材１２とによって排水枡６の底面の開口の縁部が挟持される。
【００２５】
フランジ部材１２を通して排水トラップ１０内に上方から着脱可能にヘアキャッチャー１３が差し込まれている。このヘアキャッチャー１３は、上面が開いたカゴ（篭）状である。
【００２６】
この実施の形態では、ヘアキャッチャー１３は下方側へ向かって縮径する略逆円錐台形状を有する。ヘアキャッチャー１３は、その下端が排水トラップ１０内の封水面Ｗ１（第１０図）よりも若干（例えば１０ｍｍ以下程度）上方に位置するようにフランジ部材１２に支持されている。なお、ヘアキャッチャー１３は、排水トラップ１０内に形成される旋回流によって上方に押されても浮き上がらないようにフランジ部材１２に係止部（図示略）によって係止されている。
【００２７】
排水トラップ１０の構成について次に詳細に説明する。
【００２８】
この排水トラップ１０は、受入室２０と、受入室２０の下側の導水室４０と、該導水室４０から立ち上がる立上室５０と、該立上室５０の側面に開口する排水口６０とから主として構成されている。
【００２９】
受入室２０は、それぞれ円筒形の上部ハウジング２１と、この上部ハウジング２１の下端に連なる、上部ハウジング２１よりも大径の下部ハウジング２２とによって周壁が構成されている。なお、この実施の形態では、下部ハウジング２２から垂下筒部２５が垂設されている。
【００３０】
上部ハウジング２１は、水平断面形状が真円形の円筒形であるが、若干のテーパーを有していてもよい。
【００３１】
下部ハウジング２２は、この実施の形態では、天井面２２ａと、周面２２ｂと、底面２２ｃとからなるコ字形断面形状である。この下部ハウジング２２により、受入室２０の下部を周回する環状水路が構成されている。
【００３２】
下部ハウジング２２の周壁に流入口１１が接続されている。この流入口１１は、下部ハウジング２２の内周面の接線方向を指向している。これにより、流入口１１から下部ハウジング２２に流入する水は、受入室２０内で旋回流を形成することが可能となっている。
【００３３】
受入室２０の底面の中心部には、受入室２０内と導水室４０内とを連通するための開口２４が設けられている。
【００３４】
この実施の形態では、下部ハウジング２２の底面２２ｃの内周縁から前記垂下筒部２５が下方に突設されている。この垂下筒部２５は上部ハウジング２１と同軸状かつ略同一直径となっている。この垂下筒部２５の内側にテーパブロック２６が嵌合設置されている。
【００３５】
このテーパブロック２６は、略リング形の部材であり、外周面が垂下筒部２５に接し、底面が導水室４０の天井板部分に接している。テーパブロック２６は、中心ほど下位となるテーパ面２６ａを有している。テーパブロック２６の高さは垂下筒部２５と略同一か若干小さくなっており、テーパ面２６ａの上縁は、下部ハウジング２２の底面２２ｃと略同一高さか又はそれよりも若干低位となっている。テーパブロック２６の中心部に円形の開口２６ｂが設けられている。この開口２６ｂの縁部は前記開口２４に内嵌している。
【００３６】
導水室４０は、受入室２０から一方（排水ソケット４と反対方向）に延出している。導水室４０の延在方向の先端側に、上方に立ち上がる立上室５０が設けられている。
【００３７】
この立上室５０の上部の側面に排水口６０が開口している。第１０図に明示されるように、この排水口６０内に堰板５１が設けられており、この堰板５１の上縁が主排水流路の封水面Ｗ１（第３，６，１０図）となっている。この封水面Ｗ１は、流入口１１の上端（天井面）よりも上位となっている。
【００３８】
この実施の形態では、排水ソケット４と排水管７との間に、排水トラップ１０を迂回して両者を連通するバイパス流路３０（第１〜６図）が設けられている。このバイパス流路３０は、第３〜６図の通り、排水ソケット４に連なる水平な横引管３１と、横引管３１の延出方向の先端に連なり、斜めに立ち上がる斜管３２と、該斜管３２の上端に連なる短い横引管３３と、横引管３３に連なるジョイント管３４と、ジョイント管３４に着脱可能に接続された合流管３５とからなる。
【００３９】
横引管３１、斜管３２、横引管３３及びジョイント管３４は排水ソケット４と一体である。
【００４０】
合流管３５は、前記排水管７と一体の枝管状である。横引管３３、ジョイント管３４及び合流管３５はほぼ水平である。
【００４１】
横引管３３は、ジョイント管３４に向かって徐々に口径が縮小する方形断面形状である。横引管３３の床面は、ジョイント管３４側に向って徐々に高位となっており、そのジョイント管３４との接続部がバイパス流路の最高位の最高位床面３３ａ（第６図）となっており、この最高位床面３３ａがバイパス流路の封水面Ｗ２（第６図）となっている。この封水面Ｗ２は前記主排水流路の封水面Ｗ１よりも所定高さΔＷだけ上位となっている。ΔＷは１〜５０ｍｍ特に５〜２０ｍｍ程度が好ましい。
【００４２】
また、この実施の形態では、排水ソケット４に浴槽パン１上の水を流出させるための開口８１が設けられ、この開口８１が浴槽パン用排水管としての配管８２，８３を介して排水管７に連通している。配管８２の末端はジョイント部８２ａとなっており、このジョイント部８２ａに配管８３の上流端が着脱可能に接続されている。配管８２は排水ソケット４と一体である。配管８３は排水管７と一体であり、排水管７から枝状に分岐している。
【００４３】
この実施の形態では、排水ソケット４、排水トラップ１０、配管５、バイパス流路３０のうちの横引管３１からジョイント管３４、及び配管８２が一体のユニット物となっている。
【００４４】
このように構成された浴室排水装置の作動について次に説明する。
【００４５】
水を張った浴槽３の排水口３ａの排水栓を抜くと、浴槽３内の水の多くは排水ソケット４及び配管５を介して流入口１１から受入室２０内に流入し、まず下部ハウジング２２の内周面に沿って流れて旋回流を形成する。なお、この実施の形態では、下部ハウジング２２を上部ハウジング２１よりも大径とし、これにより環状水路を形成しており、この環状水路に浴槽排水を導入するようにしているので、受入室２０内に流入して旋回を開始した水が受入室２０の内周面に沿って短絡的に上下に広がることがない。これにより、受入室２０内に強い旋回流が形成されるようになる。
【００４６】
下部ハウジング２２内の水位は次第に上昇して上部ハウジング２１に達し、更に水位が上昇してヘアキャッチャー１３あるいはさらに排水枡６が旋回流に浸水した状態となる。これにより、排水枡６の内面やヘアキャッチャー１３に付着しているゴミや毛髪がこすり落とされて、ゴミや髪の毛は渦の中心に集められ、渦の中心から下方へ落下し、ヘアキャッチャー１３の底面中央部に良好に集められる。
【００４７】
受入室２０内で旋回している水の一部は、渦の中心付近から開口２４を経て導水室４０へ流出する。その後、水は、立上室５０を経て排水口６０から排水管７へ流出する。この配管５、受入室２０、導水室４０、立上室５０及び排水口６０によって主排水流路が構成されている。
【００４８】
この実施の形態では、この主排水流路と並列状にバイパス流路３０を設けており、排水ソケット４の浴槽排水流入口４ａに流れ込んだ水の一部が、バイパス流路３０を通って排水管７へ直接に流れる。即ち、浴槽排水の一部は受入室２０を迂回して直接に排水管７へ流出する。従って、浴槽３から排水ソケット４へ水が大量に流入してきても、受入室２０に一時に大量の水が流入することはなく、受入室２０から洗い場パン２の上側にまで水が溢れ出ることがない。
【００４９】
この実施の形態では、バイパス流路３０の末端側に最高位床面３３ａが設けられ、この最高位床面３３ａのレベル（Ｗ２）が主排水流路の最高位の堰板５１の上縁のレベル（Ｗ１）よりもΔＷだけ上位となっている。そのため、排水ソケット４の浴槽排水流入口４ａに流入する水量が少ないときは、浴槽排水は大部分が配管５から受入室２０へ流れるようになり、受入室２０内の旋回流量が確保される。このため、ヘアキャッチャー１３や排水枡６内を十分に旋回流と接触させることができる。従って、浴槽排水量が少ないときでも、ゴミや毛髪などをヘアキャッチャー１３の底面中央部に良好に集めることができる。
【００５０】
浴槽３からすべての水が流出すると、旋回流は停止し、排水トラップ１０内には封水面Ｗ１のレベルの封水が残る。また、第２〜５図の通り、主排水流路の配管５とバイパス流路３０の横引管３１の上流端とは連続しているので、バイパス流路３０にも封水面Ｗ１のレベルの封水が残る。
【００５１】
これにより、排水管７側と洗い場及び浴槽３側とはいずれも封水によって隔絶されることになり、排水管７の臭気が洗い場や浴槽３へ逆流することが防止される。
【００５２】
なお、この実施の形態では、下部ハウジング２２をコ字形断面形状としているが、半円形断面形状や半楕円形断面形状としてもよい。本発明では、膨出した形状の下部ケーシングが省略された等径円筒状の受入室としてもよい。即ち、環状水路は省略されてもよい。
【００５３】
上記実施の形態では、主排水流路とバイパス流路の出口側の水位差ΔＷによってバイパス水量制御手段を構成しているが、浴槽排水流量に応じて開度を調節する弁などを採用してもよい。
【００５４】
本発明では、排水枡の水平断面形状は、角形、円形など任意であるが、円形とした場合には、排水枡内での水の旋回流がスムーズなものとなる。
【００５５】
また、排水枡を、上端部は方形であるが下端側は円形となっており、上端部から下端部にかけて水平断面形状が方形から円形に徐々に変化するものであってもよい。第１２図はその一例に係る排水枡６Ａを有した洗い場パン２Ａの排水枡付近の斜視図、第１３図は目皿を装着した場合の排水枡付近の斜視図、第１４図は第１３図のXIV−XIV線断面図である。
【００５６】
図示の通り、排水枡６Ａの上端部は方形（この実施の形態では長方形）であり、下端は円形である。排水枡６Ａの上端には、目皿８を載せるための段部６ｄが設けられている。排水枡６Ａの底面の円形の開口にフランジ１２が係止される。この排水枡６Ａであれば、下部が円形の水平断面形状となっているため、この下部において強力な旋回流が形成され易いものとなる。
【図面の簡単な説明】
【００５７】
【図１】実施の形態に係る浴室排水装置を備えた浴室の斜視図である。
【図２】浴室排水装置の模式図である。
【図３】浴室排水装置の斜視図である。
【図４】配管を取り外した浴室排水装置の斜視図である。
【図５】浴室排水装置の別方向からの斜視図である。
【図６】第５図のVI−VI線に沿う断面図である。
【図７】第５図のVII−VII線に沿う縦断面図である。
【図８】実施の形態に係る浴室排水装置の排水トラップの斜視図である。
【図９】図８の排水トラップの水平断面図である。
【図１０】図８の排水トラップの縦断面図である。
【図１１】図８の排水トラップの水平断面図である。
【図１２】異なる実施の形態に用いられる洗い場パンの排水枡近傍の斜視図である。
【図１３】図１２の洗い場パンの目皿を取り除いた状態の斜視図である。
【図１４】図１３のXIV−XIV線断面図である。
【符号の説明】
【００５８】
１  浴槽パン
２  洗い場パン
３  浴槽
６  排水枡
７  排水管
１０  排水トラップ
１３  ヘアキャッチャー
２０  受入室
２１  上部ハウジング
２２  下部ハウジング
２４  開口
２５  垂下筒部
２６  テーパブロック
３０  バイパス流路
３３ａ  最高位床面
４０  導水室
５０  立上室
５１  堰板
６０  排水口
８２，８３  浴槽パン用排水管を構成する配管
【図１】
0005151498.tif 000002
【図２】
0005151498.tif 000003
【図３】
0005151498.tif 000004
【図４】
0005151498.tif 000005
【図５】
0005151498.tif 000006
【図６】
0005151498.tif 000007
【図７】
0005151498.tif 000008
【図８】
0005151498.tif 000009
【図９】
0005151498.tif 000010
【図１０】
0005151498.tif 000011
【図１１】
0005151498.tif 000012
【図１２】
0005151498.tif 000013
【図１３】
0005151498.tif 000014
【図１４】
0005151498.tif 000015